(57)【要約】【課題】  受雷部が取付けられる支持管の嵌挿が容易で、その支持管との支持関係を確保し得る受雷部支持管取付け台を提供する。【解決手段】  受雷部支持管取付け台は、受雷部（図示せず）を取付ける円筒状断面支持管１が挿入される円筒状断面鞘管２と、円筒状断面鞘管２が垂設される基板３と、基板３を補強する補強板４と、円筒状断面支持管１と円筒状断面鞘管２の間隙部を冠着する円弧状嵌合型当接器６と、円筒状断面鞘管２の中空部内において基板３に垂設される三ツ矢状断面錐台型支持器５とによって構成され、円筒状断面支持管１は、該円筒状断面支持管１の先端部が三ツ矢状断面錐台型支持器５に挿着されて支持され、該円筒状断面支持管１の円筒状断面鞘管先端部近傍の外周面が円弧状嵌合型当接器６に当接されて支持されることで固定状態とする。【選択図】      図１（ａ）
2005278352.tif 000002
【特許請求の範囲】
【請求項１】
受雷部が取付く支持管が挿入される鞘管と、前記鞘管が垂設される基板と、前記鞘管と前記基板とが接する鞘管元端部に対する鞘管先端部に上記支持管と当接する当接器と、上記鞘管先端部の近傍に上記支持管と前記当接器との当接関係を保持する当接保持器とにより構成された受雷部支持管取付け台において、
前記鞘管の中空部には、略錐台型の錐台型支持器が前記基板に垂設されて備えられ、
前記鞘管に挿入された上記支持管は、該支持管の元端部が前記放射状断面錐台型支持器に挿着されて支持され、該支持管の鞘管先端部近傍の外周面が前記当接器に当接して支持される、
ことを特徴とする受雷部支持管取付け台。
【請求項２】
請求項１に記載の受雷部支持管取付け台において、
前記錐台型支持器の重心は、上記支持管および前記鞘管の重心と略一致する、
ことを特徴とする受雷部支持管取付け台。
【請求項３】
請求項１に記載の受雷部支持管取付け台において、
前記当接器は、上記支持管の外周面に当接する当接部と、
前記鞘管の外周面に並行する折曲部と、
前記当接部と前記折曲部とを繋ぐ鍔部とにより略コ字型断面形状を有し、当該当接器は、前記鞘管の先端部に掛止される、
ことを特徴とする受雷部支持管取付け台。
【請求項４】
請求項３に記載の受雷部支持管取付け台において、
前記当接器は、前記鍔部の一方の端縁部に凸部が備えられ、
前記一方の端縁部に対するもう一方の端縁部に凹部が備えられ、
少なくとも２以上の異なる当接器の凸部と凹部とが嵌合する嵌合型当接器とした、
ことを特徴とする受雷部支持管取付け台。
【請求項５】
請求項１に記載の受雷部支持管取付け台において、
前記当接保持器には、前記鞘管先端部の近傍に周設されるナットと、
前記ナットに螺着されるボルトとが備えられ、
前記ナットに螺着された前記ボルトの先端部が前記鞘管の外周面を貫通し、前記当接器に当接する、
ことを特徴とする受雷部支持管取付け台。
【請求項６】
請求項１に記載の受雷部支持管取付け台において、
前記鞘管元端部の外周面に水抜き穴を有し、
上記支持管および前記鞘管に浸入した水分を前記鞘管の内筒部外に排水する、
ことを特徴とする受雷部支持管取付け台。
【発明の詳細な説明】
【技術分野】
【０００１】
本発明は、建造物を落雷から保護する避雷設備において、受雷部を支持する支持管が取付けられる受雷部支持管取付け台に関する。
【背景技術】
【０００２】
従来、建造物に受雷部を設置するにあたり、その受雷部を支持する支持管が取付けられる様々な受雷部支持管取付け台が採用されていることが知られている（例えば、特許文献１参照。）。
以下、上記支持管が取付く、従来の受雷部支持管取付け台について、図８もしくは図９の各図を参照して説明する。
【０００３】
図８は、従来の受雷部支持管取付け台の１例を示す斜視図である。図９は、受雷部支持管取付け台を基台に取付けた状態を示す斜視図である。図８、図９の各図に示す様に、従来の受雷部支持管取付け台は、受雷部（図示せず）を支持する円筒状断面支持管１１０が挿着される鞘管１２０と、鞘管１２０を支持する基台杆１３０および支持杆１４０と、鞘管１２０の基台杆１３０が取付く元端部に対する先端部に取付く蓋体１６０とによって構成され、ボルト、ナットからなるネジ部材１５０により組立てられるものである。
【０００４】
円筒状断面支持管１１０は、図８に示すように、円筒状断面形状を有し、当該円筒状断面支持管１１０の受雷部（図示せず）が取付かない一方端、すなわち元端部、を鞘管１２０に挿入することにより鞘管１２０に固定され、円筒状断面支持管１１０の元端部に対する先端部には受雷部（図示せず）が取付けられる。
【０００５】
鞘管１２０は、図８に示すように、角筒状断面形状を有する短尺物であり、当該鞘管１２０に挿入された円筒状断面支持管１１０の外周面が鞘管１２０の内壁面に当接して円筒状断面支持管１１０は鞘管１２０に対して支持状態とされる。そして、ボルト、ナットからなるネジ部材１２１により支持状態が保持される。
【０００６】
基台杆１３０は、図８に示すように、Ｌ字型断面形状を有し、当該基台杆１３０の一方端、すなわち元端部、に当該基台杆１３０を鞘管１２０の外周面に垂設させる接合座１３１を備える。基台杆１３０は、円筒状断面支持管１１０が挿入される鞘管１２０の元端部付近の各側面に接合座１３１を介してネジ部材１５０を用いて垂設される。
【０００７】
支持杆１４０は、図８に示すように、Ｌ字型断面形状を有し、当該支持杆１４０の両端に接合座１４１を備える。接合座１４１は、基台杆１３０の元端部に対する先端部と鞘管１２０の先端部付近間に当該支持杆１４０を架設させる。当該支持杆１４０を鞘管１２０の先端部と基台杆１３０の先端部付近間に架設することにより略三角形、すなわち、トラス構造が形成される。当該支持杆１４０が、鞘管１２０および基台杆１３０を補剛することにより鞘管１２０と基台杆１３０の高強度化を図る。
【０００８】
蓋体１６０は、図８に示すように、円筒状断面支持管１１０の先端部に嵌合される。円筒状断面支持管１１０と鞘管１２０との隙間によって生じる円筒状断面支持管１１０の鞘管１２０に対するがたつきや回転を防止して、円筒状断面支持管１１０の安定支持関係を保持する。
【０００９】
このようにして組立てられる従来の受雷部支持管取付け台は、図９に示すように、建造物に配設された基台１７０に設置される。基台１７０には基台杆１３０と接合されるアンカーボルト１８０を有し、アンカーボルト１８０にナット１８１をもちいて基台１７０に固定される。これにより、従来の受雷部支持管取付け台が建造物に設置される。そして、受雷部（図示せず）が円筒状断面支持管１１０に取付けられる。
【特許文献１】特開平６１９７０９号公報（第１−６頁、第１図）
【発明の開示】
【発明が解決しようとする課題】
【００１０】
しかし、上述のように構成された従来の受雷部支持管取付け台において、鞘管１２０に対する円筒状断面支持管１１０の支持関係は、円筒状断面支持管１１０の外周面を鞘管１２０の内壁面に当接させているため、円筒状断面支持管１１０および鞘管１２０の製造段階で許容される誤差を吸収しきれず、鞘管１２０に対する円筒状断面支持管１１０の支持状態を保持し難い場合がある。また、その支持状態を確保するために、円筒状断面支持管１１０の外径および鞘管１２０の内法の加工精度を高める必要がある。また、円筒状断面支持管１１０の重心と鞘管１２０の重心とが略一致しないことにより、基台杆１３０やアンカーボルト１８０のサイズを大きくする必要があるといった問題がある。
【００１１】
本発明は、以上のような問題を鑑みてなされたものであり、支持管の受雷部支持管取付け台への取付けが容易で、支持管と受雷部支持管取付け台との固定状態を確保することができ、支持管の重心と鞘管の重心が略一致する受雷部支持管取付け台を提供することを目的とする。
【課題を解決するための手段】
【００１２】
前記課題を解決するために、本発明の請求項１に係る受雷部支持管取付け台は、受雷部が取付く支持管が挿入される鞘管と、前記鞘管が垂設される基板と、前記鞘管と前記基板とが接する鞘管元端部に対する鞘管先端部に上記支持管と当接する当接器と、上記鞘管先端部の近傍に上記支持管と前記当接器との当接関係を保持する当接保持器とにより構成された受雷部支持管取付け台において、前記鞘管の中空部には、略錐台型の錐台型支持器が前記基板に垂設されて備えられ、前記鞘管に挿入された上記支持管は、該支持管の元端部が前記放射状断面錐台型支持器に挿着されて支持され、該支持管の鞘管先端部近傍の外周面が前記当接器に当接して支持される、ことを特徴とするものである。
【００１３】
また、本発明の請求項２に係る受雷部支持管取付け台は、本発明の請求項１に記載の受雷部支持管取付け台において、前記錐台型支持器の重心は、上記支持管および前記鞘管の重心と略一致する、ことを特徴とするものである。
【００１４】
また、本発明の請求項３に係る受雷部支持管取付け台は、請求項１に記載の受雷部支持管取付け台において、前記当接器は、上記支持管の外周面に当接する当接部と、前記鞘管の外周面に並行する折曲部と、前記当接部と前記折曲部とを繋ぐ鍔部とにより略コ字型断面形状を有し、当該当接器は、前記鞘管の先端部に掛止される、ことを特徴とするものである。
【００１５】
また、本発明の請求項４に係る受雷部支持管取付け台は、請求項３に記載の受雷部支持管取付け台において、前記当接器は、前記鍔部の一方の端縁部に凸部が備えられ、前記一方の端縁部に対するもう一方の端縁部に凹部が備えられ、少なくとも２以上の異なる当接器の凸部と凹部とが嵌合する嵌合型当接器とした、ことを特徴とするものである。
【００１６】
また、本発明の請求項５に係る受雷部支持管取付け台は、請求項１に記載の受雷部支持管取付け台において、前記当接保持器には、前記鞘管先端部の近傍に周設されるナットと、前記ナットに螺着されるボルトとが備えられ、前記ナットに螺着された前記ボルトの先端部が前記鞘管の外周面を貫通し、前記当接器に当接する、ことを特徴とするものである。
【００１７】
また、本発明の請求項６に係る受雷部支持管取付け台は、請求項１に記載の受雷部支持管取付け台において、前記鞘管元端部の外周面に水抜き穴を有し、上記支持管および前記鞘管に浸入した水分を前記鞘管の内筒部外に排水する、ことを特徴とするものである。
【発明の効果】
【００１８】
本発明の請求項１にかかる受雷部支持管取付け台によれば、受雷部が取付く支持管が挿入される鞘管と、前記鞘管が垂設される基板と、前記鞘管と前記基板とが接する鞘管元端部に対する鞘管先端部に上記支持管と当接する当接器と、上記鞘管先端部の近傍に上記支持管と前記当接器との当接関係を保持する当接保持器とにより構成された受雷部支持管取付け台において、前記鞘管の中空部には、略錐台型の錐台型支持器が前記基板に垂設されて備えられ、前記鞘管に挿入された上記支持管は、該支持管の元端部が前記放射状断面錐台型支持器に挿着されて支持され、該支持管の鞘管先端部近傍の外周面が前記当接器に当接して支持されるので、支持管の当該受雷部支持管取付け台に対する垂直方向および水平方向が容易に固定支持状態となる受雷部支持管取付け台の提供が可能となる効果がある。
【００１９】
また、本発明の請求項２にかかる受雷部支持管取付け台によれば、本発明の請求項１に記載の受雷部支持管取付け台において、前記錐台型支持器の重心は、上記支持管および前記鞘管の重心と略一致するので、経済性を有する受雷部支持管取付け台の提供が可能となる効果がある。
【００２０】
また、本発明の請求項３にかかる受雷部支持管取付け台によれば、請求項１に記載の受雷部支持管取付け台において、前記当接器は、上記支持管の外周面に当接する当接部と、前記鞘管の外周面に並行する折曲部と、前記当接部と前記折曲部とを繋ぐ鍔部とにより略コ字型断面形状を有し、当該当接器は、前記鞘管の先端部に掛止されるので、容易に、支持管の鞘管先端部近傍の重心と、鞘管重心とが略一致する受雷部支持管取付け台を提供することが可能となる効果がある。
【００２１】
また、本発明の請求項４にかかる受雷部支持管取付け台によれば、請求項３に記載の受雷部支持管取付け台において、前記当接器は、前記鍔部の一方の端縁部に凸部が備えられ、前記一方の端縁部に対するもう一方の端縁部に凹部が備えられ、少なくとも２以上の異なる当接器の凸部と凹部とが嵌合する嵌合型当接器としたので、支持管に生じる応力を適切に当該受雷部支持管取付け台に伝達させる受雷部支持管取付け台を提供することが可能となる効果がある。
【００２２】
また、本発明の請求項５にかかる受雷部支持管取付け台によれば、請求項１に記載の受雷部支持管取付け台において、前記当接保持器には、前記鞘管先端部の近傍に周設されるナットと、前記ナットに螺着されるボルトとが備えられ、前記ナットに螺着された前記ボルトの先端部が前記鞘管の外周面を貫通し、前記当接器に当接するので、支持管の当該受雷部支持管取付け台に対する垂直方向および水平方向の固定状態を容易に保持させることが可能となる効果がある。
【００２３】
また、本発明の請求項６にかかる受雷部支持管取付け台によれば、請求項１に記載の受雷部支持管取付け台において、前記鞘管元端部の外周面に水抜き穴を有し、上記支持管および前記鞘管に浸入した水分を前記鞘管の内筒部外に排水するので、耐久性を有する受雷部支持管取付け台の提供が可能となる効果がある。
【発明を実施するための最良の形態】
【００２４】
（実施の形態１）
先ず、本発明の実施の形態１に係る受雷部支持管取付け台の構成について、図１ないし図４の各図を参照して説明する。図１は、本実施の形態１に係る受雷部支持管取付け台の全体図であり、図１（ａ）は全体正面図、図１（ｂ）は全体平面図、図１（ｃ）は円筒状断面支持管に周設される導線接続器の側面図、図１（ｄ）は全体断面図をそれぞれ示す。図２は、本実施の形態１に係る受雷部支持管取付け台の円弧状嵌合型当接器を除く全体図であり、図２（ａ）は円弧状嵌合型当接器を除く受雷部支持管取付け台の全体正面図、図２（ｂ）は円弧状嵌合型当接器を除く受雷部支持管取付け台の全体平面図をそれぞれ示す。図３は、本実施の形態１に係る受雷部支持管取付け台の三ツ矢状断面錐台型支持器の概要図であり、図３（ａ）は三ツ矢状断面錐台型支持器の上面図、図３（ｂ）は三ツ矢状断面錐台型支持器の正面図、図３（ｃ）は三ツ矢状断面錐台型支持器の底面図をそれぞれ示す。図４は、本実施の形態１に係る受雷部支持管取付け台の円弧状嵌合型当接器の概要図であり、図４（ａ）は円弧状嵌合型当接器の側断面図、図４（ｂ）はコ字状嵌合型当接器の平面図をそれぞれ示す。なお、上述の従来の技術と同じもしくは同等の機能を有するものについては同符号を記し、詳細な説明は省略する。
【００２５】
本発明の実施の形態１に係る受雷部支持管取付け台は、図１（ａ）に示すように、受雷部（図示せず）が取付く円筒状断面支持管１が挿入される円筒状断面鞘管２と、円筒状断面鞘管２が垂設される基板３と、基板３を補強する補強板４と、円筒状断面鞘管２の中空部にして基板３に垂設される三ツ矢状断面錐台型支持器５と、上記円筒状断面支持管１と円筒状断面鞘管２との間隙部に挿着される円弧状嵌合型当接器６と、円筒状断面支持管１と円弧状嵌合型当接器６との当接状態を保持する当接保持器７とにより構成されている。
【００２６】
円筒状断面鞘管２は、図２（ａ）、図２（ｂ）の各図に示すように、円筒状断面形状を有する短尺物の鋼管であり、円筒状断面鞘管２が基板３に接する部分、すなわち、鞘管元端部、の外周面に水抜き穴２ａを、上記鞘管元端部に対する鞘管先端部の近傍に当接保持器７をそれぞれ備える。水抜き穴２ａは円筒状断面鞘管２の中空部内に浸入した水分を中空部内より自然流出させる。円筒状断面鞘管２の中空部を乾燥状態にすることにより円筒状断面鞘管２の腐食を防止し、円筒状断面鞘管２の耐久性を向上させる。当該円筒状断面鞘管２の先端部から円筒状断面支持管１の受雷部が取付く先端部に対する元端部が挿入される。
【００２７】
基板３は、図２（ｂ）に示すように、略正方形平面形状を有する平板であり、当該基板３のほぼ中心部に円筒状断面鞘管２および三ツ矢状断面錐台型支持器５が垂設され、該基板３の各角部近傍にネジ穴３１を備える。上述の従来の技術に係る受雷部支持管取付け台と同様に、建造物に配設されたアンカーボルト１８０がネジ穴３１に挿入され、ナット１８１を用いて当該受雷部支持管取付け台が固定される。
【００２８】
補強板４は、図２（ａ）、図２（ｂ）の各図に示すように、略台形状側面形状を有する平板であり、鞘管周設面４１を円筒状断面鞘管２の外周面に、基板垂設面４２を基板３の上面部にそれぞれ溶接することにより基板３を補強する。当該補強板４には、鞘管周設面４１と基板垂設面４２とが交差する二面接合部に切欠き、すなわちスカラップ４３を有する。スカラップ４３は、補強板４を円筒状断面鞘管２および基板３に溶接接合する際に、その溶接の交差を防止する。これにより溶接の品質を確保する。
【００２９】
三ツ矢状断面錐台型支持器５は、図３（ａ）、図３（ｂ）、図３（ｃ）の各図に示すように、略錐台状の側面形状、かつ、三ツ矢状の平断面形状を有し、略錐台状の側面形状を有することにより円筒状断面支持管１を容易に挿着させ、三ツ矢状の平断面形状を有することにより円筒状断面支持管１の中空部内に浸入した水分を円筒状断面支持管１の中空部内に留めず、基板３の上面部に自然落下させる。当該三ツ矢状断面錐台型支持器５は、円筒状断面鞘管２の中空部内に、該三ツ矢状断面錐台型支持器５と円筒状断面鞘管２との重心を略一致させて基板３に垂設される。
【００３０】
円弧状嵌合型当接器６は、円筒状断面支持管１の外周面に当接する当接器であり、図４（ａ）、図４（ｂ）の各図に示すように、円筒状断面支持管１と円筒状断面鞘管２との間隙部に挿入される円弧状の当接部６０１と、円筒状断面鞘管２の外周面と並行する円弧状の折曲部６０２と、当接部６０１と折曲部６０２を繋ぐ平面円弧状の鍔部６０３とを備え、円弧型平面形状、かつ、当接部６０１と折曲部６０２と鍔部６０３とにより略コ字型断面形状を有する。当該円弧状嵌合型当接器６は、円筒状断面鞘管２の元端部に対する先端部に配設され、鍔部６０３は、当該円弧状嵌合型当接器６を円筒状断面鞘管２の先端部に掛止させる。当接部６０１の内周面、すなわち当接部内周面６０１ｂは、円筒状断面支持管１の外周面に当接する。さらに、鍔部６０３の一方の縁端部には凸部６０３ａ、一方の縁端部に対するもう一方の縁端部には凹部６０３ｂがそれぞれ設けられ、一対の円弧状嵌合型当接器の凸部６０３ａと凹部６０３ｂとを嵌合させて該円弧状嵌合型当接器の各当接部６０１を円筒状断面支持管１と円筒状断面鞘管２との間に生じる隙間に挿入する。
【００３１】
当接保持器７は、円筒状断面支持管１と円弧状嵌合型当接器６との当接関係を保持する保持器であり、図２（ａ）、図２（ｂ）の各図に示すように、ボルト７ａとナット７ｂとを備える。ナット７ｂは、鞘管先端部近傍の外周面に設けられたネジ穴２ｂに合わせて取付けられている。ボルト７ｂをナット７ａに螺入させ、該ボルト７ｂの先端部が円筒状断面鞘管２の外周壁を貫通して当接部外周面６０１ａと当接し、当接部内周面６０１ｂが円筒状断面支持管１の外周面に当接して円筒状断面支持管１の円筒状断面鞘管２に対する当接関係が保持される。
【００３２】
円筒状断面支持管１は、図１（ａ）、図１（ｂ）の各図に示すように、円筒状断面を有する長尺物の鋼管である。当該円筒状断面支持管１には、該円筒状断面支持管１が円筒状断面鞘管２に固定された状態で、該円筒状断面支持管１の外周面にして円筒状断面鞘管２の先端部近傍に導線接続器８が周設されている。導線接続器８は、導線９を円筒状断面支持管１に電気的、機械的に接合させ、受雷部（図示せず）により受止められた雷電流は、円筒状断面支持管１、導線接続器８、導線９をそれぞれ経由して接地極（図示せず）に接地される。
【００３３】
次に、上述のように構成された本発明の実施の形態１に係る受雷部支持管取付け台を建造物に取付ける手順を説明する。本発明の実施の形態１に係る受雷部支持管取付け台は、上述の従来の技術に係る受雷部支持管取付け台と同様に、本実施の形態１に係る受雷部支持管取付け台を基台１７０に埋設されたアンカーボルト１８０にネジ穴３１を合致させて挿入した後に、アンカーボルト１８０にナット１８１を取付ける。これにより本発明の実施の形態１に係る受雷部支持管取付け台が建造物に設置される。
【００３４】
次に、本発明の実施の形態１に係る受雷部支持管取付け台に円筒状断面支持管１を取付ける手順について説明する。先ず、円筒状断面支持管１の元端部を円筒状断面鞘管２の中空部に挿入し、該円筒状支持管１の元端部を三ツ矢状断面錐台型支持器５に挿着させる。これにより、円筒状支持管１の元端部の支持状態が保持される。
【００３５】
そして、二つの異なる円弧状嵌合型当接器６の、凸部６０３ａと凹部６０３ｂとを嵌合させ、かつ、各当接部内周面６０１ｂをそれぞれ円筒状断面支持管１の外周部に当接させて、それらの当接部６０１を円筒状断面支持管１と円筒状断面鞘管２との間隙部に上記各鍔部６０３が円筒状断面鞘管２の先端部に接するまで挿入して掛止させ、円筒状断面鞘管２に備えられた当接保持器７のボルト７ｂを締付けることにより該ボルト７ｂの先端部は当接部外周面６０１ａと当接し、該当接部内周面６０１ｂが円筒状断面支持管１の外周面に当接する。このようにして円筒状断面支持管１に係る円筒状断面鞘管２の先端部近傍が、円弧状嵌合型当接器６と当接保持器とにより支持状態が保持される。これにより、円筒状断面支持管１は円筒状断面鞘管２に固定される。
【００３６】
以上のように、本実施の形態１に係る受雷部支持管取付け台は、円筒状断面支持管１が挿入される円筒状断面鞘管２と、円筒状断面鞘管２が垂設される基板３と、円筒状断面支持管１と円筒状断面鞘管２との開口部に冠着される円弧状嵌合型当接器６と、円筒状断面鞘管２の先端部の近傍に円筒状断面支持管１と円弧状嵌合型当接器６との当接関係を保持する当接保持器７とにより構成された受雷部支持管取付け台において、三ツ矢状断面錐台型支持器５が円筒状断面鞘管２の中空部内に基板３に垂設されて備えられ、円筒状断面鞘管２に挿入された円筒状支持管１は、該円筒状断面支持管１の元端部が、三ツ矢状断面錐台型支持器５に挿入されて支持され、該円筒状断面支持管１の円筒状断面鞘管先端部の近傍が円弧状嵌合型当接器６に当接して支持されるので、円筒状断面支持管１は、当該受雷部支持管取付け台に対して、該円筒状断面支持管１の長軸方向である垂直方向、および、該円筒状断面支持管１の半径方向である水平方向に対して固定状態とすることが可能となる。
【００３７】
また、該三ツ矢状断面錐台型支持器５の重心は、上記円筒状支持管１の重心および円筒状断面鞘管２の重心と略一致するので、円筒状支持管１の先端部の重心と円筒状断面鞘管２の重心とを容易に略一致させることが可能となる。
また、円弧状嵌合型当接器６は、円筒状断面支持管１の外周面に当接する当接部６０１と、円筒状断面鞘管２の外周面に対して並列に近設される折曲部６０２と、当接部６０１と折曲部６０２を繋ぐ鍔部６０３とにより略コ字型断面形状を有し、当該円弧状嵌合型当接器６は、円筒状断面鞘管鞘管２の先端部に掛止されるので、容易に、円筒状断面支持管の円筒状断面鞘管先端部と円筒状断面鞘管２との重心を略一致させることが可能となる。
【００３８】
また、円弧状嵌合型当接器６は、鍔部６０３の一方の側面部に凸部６０３ａを、もう一方の側面部に凹部６０３ｂをそれぞれ備えるので、円筒状断面支持管１に水平力（例えば、風による風圧力、地震による地震力）が作用した時に円弧状嵌合型当接器同士がずれないため、該円筒状断面支持管１に生じる応力を適切に当該受雷部支持管取付け台に伝達させることが可能となる。
【００３９】
また、当接保持器７には、円筒状断面鞘管２の先端部の近傍に周設されるナット７ａと、ナット７ａに螺着されるボルト７ｂとを備え、ナット７ａに螺着されたボルト７ｂの先端部が円筒状断面鞘管２の外周面を貫通し、円弧状嵌合型当接器６に当接するので、当該受雷部支持管取付け台に挿着された円筒状断面支持管１の垂直方向および水平方向の固定状態を容易に保持することが可能となる。
【００４０】
また、円筒状断面鞘管２の元端部近傍の外周面に水抜き穴２ａを有し、円筒状断面支持管１および円筒状断面鞘管２に浸入した水分を円筒状断面鞘管２の中空部外に排水するので、当該受雷部支持管取付け台の耐食性を向上させることが可能となる。
【００４１】
なお、本実施の形態１に係る受雷部支持管取付け台は、補強板４を用いたが、当該受雷部支持管取付け台が受ける鉛直力（例えば、受雷部支持管取付け台の自重、雪による積雪荷重）、および上記水平力に対する基板３の安全性を、一定の解析方法（いわゆる、構造計算）によって確認することにより該補強板４を省くことができ、本実施の形態１に限定されるものではない。
【００４２】
また、円筒状断面支持管１および円筒状断面鞘管２は円筒状断面としたが、図４（ｃ）に示すように、円弧状嵌合型当接器６を、略コ字型平面形状を有するコ字状嵌合型当接器６１とすることにより、円筒状断面鞘管を、角筒状断面を有する角筒状断面鞘管とすることができ、本実施の形態１に限定されるものではない。
【００４３】
（実施の形態２）
本発明の実施の形態２に係る受雷部支持管取付け台は、上述の実施の形態１に係る受雷部支持管取付け台の支持管および鞘管が、円筒状断面を有するのに対し、角筒状断面を有する角筒状断面型受雷部支持管取付け台としたものである。したがって、上述の実施の形態１と同じもしくは同等の機能を有するものについては同符号を記し、詳細な説明は省略する。
【００４４】
以下、本発明の実施の形態２に係る受雷部支持管取付け台について、図５ないし図７の各図を参照して説明する。図５は、本実施の形態２に係る受雷部支持管取付け台の全体図であり、図５（ａ）は全体正面図、図５（ｂ）は全体平面図をそれぞれ示す。図６は、本実施の形態２に係る受雷部支持管取付け台の十字状断面錐台型支持器の概要図であり、図６（ａ）は十字状断面錐台型支持器の上面図、図６（ｂ）は十字状断面錐台型支持器の正面図、図６（ｃ）は十字状断面錐台型支持器の底面図をそれぞれ示す。図７は、本実施の形態２に係る受雷部支持管取付け台の凹字状嵌合型当接器の概要図であり、図７（ａ）は凹字状嵌合型当接器の側断面図、図７（ｂ）は凹字状嵌合型当接器の平面図、図７（ｃ）はＵ字状嵌合型当接器の平面図をそれぞれ示す。
【００４５】
先ず、本発明の実施の形態２に係る受雷部支持管取付け台の構成について説明する。本発明の実施の形態２に係る受雷部支持管取付け台は、図５（ａ）に示すように、角筒状断面鞘管２１と、基板３と、補強板４と、十字状断面錐台型支持器５１と、凹字状嵌合型当接器６２と、当接保持器７とにより構成されている。
【００４６】
角筒状断面鞘管２１は、図５（ａ）、図５（ｂ）の各図に示すように、角筒状断面形状を有する短尺物の角型鋼管であり、上述の実施の形態１と同様に、当該角筒状断面鞘管２１の元端部には外周面に水抜き穴２ａを、先端部の近傍には当接保持器７をそれぞれ備える。
【００４７】
十字状断面錐台型支持器５１は、図６（ａ）、図６（ｂ）、図６（ｃ）の各図に示すように、略錐台状の側面形状、かつ、十字状の平断面形状を有し、略錐台状の側面形状を有することにより角筒状断面支持管１１を容易に挿着させ、十字状の平断面形状を有することにより角筒状断面支持管１１の中空部内に浸入した水分を基板３の上面部に自然落下させる。当該十字状断面錐台型支持器５１は、角筒状断面鞘管２１の中空部内に該十字状断面錐台型支持器５１と角筒状断面鞘管２１との重心を略一致させて基板３に垂設される。
【００４８】
凹字状嵌合型当接器６２は、角筒状断面支持管１１の外周面に当接する当接器であり、図７（ａ）、図７（ｂ）の各図に示すように、角筒状断面支持管１１と角筒状断面鞘管２１との間隙部に挿入されるコ字状の当接部６２１と、角筒状断面鞘管２１の外周面と並行する折曲部６２２と、当接部６２１と折曲部６２２を繋ぐコ字状の鍔部６２３とが備えられ、略コ字型平断面形状、かつ、当接部６２１と折曲部６２２と鍔部６２３とで略コ字型立断面形状を有する。当該凹字状嵌合型当接器６２は、角筒状断面鞘管２１の先端部に配設され、鍔部６２３は当該凹字状嵌合型当接器６２を角筒状断面鞘管２１の先端部に掛止させる。当接部内周面６２１ｂは、角筒状断面支持管１１の外周面に当接する。鍔部６２３の一方の縁端部には凸部６２３ａ、もう一方の縁端部には凹部６２３ｂがそれぞれ設けられている。一対の凹字状嵌合型当接器の凸部６２３ａと凹部６２３ｂとを嵌合させて該凹字状嵌合型当接器の各当接部６２１を角筒状断面支持管１１と角筒状断面鞘管２１との隙間に挿入される。
【００４９】
角筒状断面支持管１１は、図５（ａ）、図５（ｂ）の各図に示すように、角筒状断面有する長尺物の角形鋼管である。角筒状断面支持管１１の外周面には導線接続器８が周設され、上述の実施の形態１と同様に導線９が接続されている。
【００５０】
次に、上述のように構成された本実施の形態２に係る受雷部支持管取付け台を建造物に取付ける手順を説明する。上述の実施の形態１に係る受雷部支持管取付け台と同様に、本実施の形態２に係る受雷部支持管取付け台を基台１７０に埋設されたアンカーボルト１８０にネジ穴３１を合致させて挿入し、アンカーボルト１８０にナット１８１を取付ける。これにより本実施の形態２に係る受雷部支持管取付け台が建造物に設置される。
【００５１】
次に、本発明の実施の形態２に係る受雷部支持管取付け台に角筒状断面支持管１１を取付ける手順について説明する。先ず、角筒状断面支持管１１の元端部を角筒状断面鞘管２１の中空部に挿入し、該角筒状断面支持管１１の元端部を十字状断面錐台型支持器５１に挿着させることにより、該角筒状断面支持管１１の元端部の支持状態が保持される。
【００５２】
そして、二つの異なる凹字状嵌合型当接器６２の、凸部６２３ａと凹部６２３ｂとを嵌合させ、かつ、各当接部内周面６２１ｂをそれぞれ角筒状断面支持管１１の外周部に当接させて、それらの当接部６２１を角筒状断面支持管１１と角筒状断面鞘管２１との間隙部に上記各鍔部６２３が角筒状断面鞘管２１の先端部に接するまで挿入して掛止させ、各ボルト７ｂを締付けることにより当接部内周面６２１ｂが角筒状断面支持管１１の外周面に当接する。このようにして角筒状断面支持管１１の角筒状断面鞘管２１先端部近傍が凹字状嵌合型当接器６２と当接保持器とにより支持状態が保持される。これにより、角筒状断面支持管１１は角筒状断面鞘管２１に固定される。
【００５３】
以上のように、本実施の形態２に係る受雷部支持管取付け台は、受雷部を支持する角筒状断面支持管１１が挿入される角筒状断面鞘管２１と、角筒状断面鞘管２１が垂設される基板３と、角筒状断面支持管１１と角筒状断面鞘管２１との開口部に冠着される凹字状嵌合型当接器６２と、角筒状断面鞘管２１の先端部の近傍に角筒状断面支持管１１と凹字状嵌合型当接器６２との当接関係を保持する当接保持器７とにより構成された受雷部支持管取付け台において、十字状断面錐台型支持器５１が角筒状断面鞘管２１の中空部内に基板３に垂設されて備えられ、角筒状断面支持管１１の一方端が十字状断面錐台型支持器５１に挿着されて支持され、角筒状断面支持管１１の外周面が角筒状断面鞘管２１の先端部近傍にて当接保持器７により凹字状嵌合型当接器６２に当接されて支持されるので、該角筒状断面支持管１１の元端部が、当該十字状断面錐台型支持器５１に挿入されて支承され、該角筒状断面支持管１１に係る角筒状断面鞘管２１の先端部近傍が凹字状嵌合型当接器６２に当接して支承されるので、角筒状断面を有する角筒状断面支持管１１を、角筒状断面を有する当該受雷部支持管取付け台に対して、垂直方向および水平方向に対して固定状態とすることが可能となる。
【００５４】
また、該十字状断面錐台型支持器５１の重心は、角筒状断面支持管１１の重心および角筒状断面鞘管２１の重心と略一致するので、角筒状断面鞘管２１に挿入された上記角筒状断面支持管１１は、該角筒状支持管１１の先端部の重心と角筒状断面鞘管２１の重心とを容易に略一致させることが可能となる。
【００５５】
また、凹字状嵌合型当接器６２は、角筒状断面支持管１１の外周面に当接する当接部６２１と、角筒状断面鞘管２１の外周面対して並列に近設される折曲部６２２と、当接部６２１と折曲部６２２を繋ぐ鍔部６２３とにより略コ字型断面形状を有し、当該凹字状嵌合型当接器６２は、角筒状断面鞘管２１の先端部に掛止されるので、容易に、角筒状断面支持管１１の角筒状断面鞘管先端部近傍の重心と、角筒状断面鞘管２１の重心とを略一致させることが可能となる。
【００５６】
また、鍔部６２３の一方の側面部に凸部６２３ａ、もう一方の側面部に凹部６２３ｂを備えるので、角筒状断面支持管１１に水平力が作用した時に凹字状嵌合型当接器６２同士がずれないため、該角筒状断面支持管１１に生じる応力を当該受雷部支持管取付け台に適切に伝達させる可能となる。
【００５７】
また、当接保持器７には、角筒状断面鞘管２１の先端部の近傍に周設されるナット７ａと、ナット７ａに螺着されるボルト７ｂとを備え、ナット７ａに螺着されたボルト７ｂの先端部が角筒状断面鞘管２１の外周面を貫通し、凹字状嵌合型当接器６２に当接するので、角筒状断面支持管１１の当該受雷部支持管取付け台に対する垂直方向および水平方向の固定状態を容易に保持させることが可能となる。
【００５８】
また、角筒状断面鞘管２１の元端部近傍の外周面に水抜き穴２ａを有し、角筒状断面支持管１１および角筒状断面鞘管２１に浸入した水分を円筒状断面鞘管２の内筒部外に排水するので、当該受雷部支持管取付け台の耐食性を向上させることが可能となる。
なお、本実施の形態２に係る受雷部支持管取付け台は、上述の実施の形態１と同様に、補強板４は、基板３の安全性を構造計算によって確認することにより省くことができ、本発明の実施の形態２に限定されるものではない。
【００５９】
また、角筒状断面支持管１１および角筒状断面鞘管２１は角筒状断面としたが、図７（ｃ）に示すように、凹字状嵌合型当接器６２を、略Ｕ字型平面形状を有するＵ字状嵌合型当接器６３とすることにより、角筒状鞘管を、円筒状断面鞘管とすることができ、本実施の形態２に限定されるものではない。
【産業上の利用可能性】
【００６０】
本発明に係る受雷部支持管取付け台は、受雷部が取付けられる支持管を固定する受雷部支持管取付け台として、また、アンテナが取付けられる支持管を固定するアンテナ支持台として有用であり、特に耐風圧性が要求される高所および地域に設置する場合に適している。
【図面の簡単な説明】
【００６１】
【図１（ａ）】実施の形態１に係る受雷部支持管取付け台の全体正面図である。
【図１（ｂ）】実施の形態１に係る受雷部支持管取付け台の全体平面図である。
【図１（ｃ）】実施の形態１に係る受雷部支持管取付け台に挿着した支持管に周設される導線接続器の側面図である。
【図１（ｄ）】実施の形態１に係る受雷部支持管取付け台の全体断面図である。
【図２（ａ）】実施の形態１に係る受雷部支持管取付け台の円弧状嵌合型当接器を除く全体正面図である。
【図２（ｂ）】実施の形態１に係る受雷部支持管取付け台の円弧状嵌合型当接器を除く当接器を除く全体平面図である。
【図３（ａ）】実施の形態１に係る受雷部支持管取付け台の三ツ矢状断面錐台型支持器の上面図である。
【図３（ｂ）】実施の形態１に係る受雷部支持管取付け台の三ツ矢状断面錐台型支持器の正面図である。
【図３（ｃ）】実施の形態１に係る受雷部支持管取付け台の三ツ矢状断面錐台型支持器の底面図である。
【図４（ａ）】実施の形態１に係る受雷部支持管取付け台の円弧状嵌合型当接器の側面図である。
【図４（ｂ）】実施の形態１に係る受雷部支持管取付け台の円弧状嵌合型当接器の平面図である。
【図４（ｃ）】実施の形態１に係る受雷部支持管取付け台の当接器であって、支持管を円筒状断面支持管、鞘管を角筒状断面支持管とした時のコ字状嵌合型当接器の平面図である。
【図５（ａ）】実施の形態２に係る受雷部支持管取付け台の全体正面図である。
【図５（ｂ）】実施の形態２に係る受雷部支持管取付け台の全体平面図である。
【図６（ａ）】実施の形態２に係る受雷部支持管取付け台の四角状嵌合型当接器の側面図である。
【図６（ｂ）】実施の形態２に係る受雷部支持管取付け台の四角状嵌合型当接器の平面図である。
【図６（ｃ）】実施の形態２に係る受雷部支持管取付け台の当接器であって、支持管を角筒状断面支持管、鞘管を円筒状断面支持管とした時のＵ字状嵌合型当接器の平面図である。
【図７（ａ）】実施の形態２に係る受雷部支持管取付け台の十字状錐台型支持器の上面図である。
【図７（ｂ）】実施の形態２に係る受雷部支持管取付け台の十字状錐台型支持器の正面図である。
【図７（ｃ）】実施の形態２に係る受雷部支持管取付け台の十字状錐台型支持器の底面図である。
【図８】従来の受雷部支持管取付け台の斜視図である。
【図９】従来の受雷部支持管取付け台を建造物に取付けた状態を示す斜視図である。
【符号の説明】
【００６２】
１  円筒状断面支持管
１１  角筒状断面支持管
２  円筒状断面鞘管
２ａ  水抜き穴
２ｂ  ネジ穴
２１  角筒状断面鞘管
３  基板
３１  ネジ穴
４  補強板
４１  鞘管周設面
４２  基板垂設面
４３  スカラップ
５  三ツ矢状断面錐台型支持器
５１  十字状断面錐台型支持器
６  円弧状嵌合型当接器
６１  コ字状嵌合型当接器
６２  凹字状嵌合型当接器
６３  Ｕ字状嵌合型当接器
６０１，６１１，６２１，６３１  当接部
６０１ａ，６１１ａ，６２１ａ，６３１ａ  当接部外周面
６０１ｂ，６１１ｂ，６２１ｂ，６３１ｂ  当接部内周面
６０２，６１２，６２２，６３２  折曲部
６０３，６１３，６２３，６３３  鍔部
６０３ａ，６１３ａ，６２３ａ，６３３ａ  凸部
６０３ｂ，６１３ｂ，６２３ｂ，６３３ｂ  凹部
７  当接保持器
７ａ  ナット
７ｂ  ボルト
８  導線接続器
９  導線
１１０  支持管
１２０  鞘管
１２１  ネジ部材
１３０  基台杆
１３１  接合座
１４０  支持杆
１４１  接合座
１５０  ネジ部材
１６０  当接器
１７０  基台
１８０  アンカーボルト
１８１  ナット
【図１（ａ）】
2005278352.tif 000003
【図１（ｂ）】
2005278352.tif 000004
【図１（ｃ）】
2005278352.tif 000005
【図１（ｄ）】
2005278352.tif 000006
【図２（ａ）】
2005278352.tif 000007
【図２（ｂ）】
2005278352.tif 000008
【図３（ａ）】
2005278352.tif 000009
【図３（ｂ）】
2005278352.tif 000010
【図３（ｃ）】
2005278352.tif 000011
【図４（ａ）】
2005278352.tif 000012
【図４（ｂ）】
2005278352.tif 000013
【図４（ｃ）】
2005278352.tif 000014
【図５（ａ）】
2005278352.tif 000015
【図５（ｂ）】
2005278352.tif 000016
【図６（ａ）】
2005278352.tif 000017
【図６（ｂ）】
2005278352.tif 000018
【図６（ｃ）】
2005278352.tif 000019
【図７（ａ）】
2005278352.tif 000020
【図７（ｂ）】
2005278352.tif 000021
【図７（ｃ）】
2005278352.tif 000022
【図８】
2005278352.tif 000023
【図９】
2005278352.tif 000024